(57)【要約】【課題】この考案は、膝部および肘部の固定、支持、保温により痛みを軽減する左右兼用の膝部・肘部サポーターの提供。【解決手段】所要の引張力による伸張性と、元の状態への復元性に富む弾性芯材と、その表面を鍵型ファスナーと係合自在で、伸縮性に富むパイル布により表装される生地を用い、被着者の膝部または肘部を左右方向へ半周乃至一周若しくはそれ以上の所要長さ、かつ、膝部または肘部より上下方向に所要長さ部分の巻付け可能な本体部と、その本体部の上半左側縁から左側に一体に延設する左巻回掛着バンド部と、本体部の下半右側縁から右側に一体に延設する右巻回掛着バンド部とにより設けてなる膝部・肘部サポーター。【選択図】図１
0003104928.tif 000002
【実用新案登録請求の範囲】
【請求項１】
所要の引張力による伸張性と、元の状態への復元性に富む弾性芯材と、その表面を鍵型ファスナーと係合自在で、伸縮性に富むパイル布により表装される生地を用い、被着者の膝部または肘部を左右方向へ半周乃至一周若しくはそれ以上の所要長さ、かつ、膝部または肘部より上下方向に所要長さ部分の巻付け可能な本体部と、その本体部の上半一方側縁から一方側に一体に延設する一方巻回掛着バンド部と、本体部の下半他方側縁から他方側に一体に延設する他方巻回掛着バンド部とにより設けてなる膝部・肘部サポーター。
【請求項２】
所要の引張力による伸張性と、元の状態への復元性に富む弾性芯材と、その表面を鍵型ファスナーと係合自在で、伸縮性に富むパイル布により表装される生地を用い、被着者の膝部または肘部を左右方向へ半周乃至一周若しくはそれ以上の所要長さ、かつ、膝部または肘部より上下方向に所要長さ部分の巻付け可能な本体部と、その本体部の上半左側縁から左側に一体に延設する左巻回掛着バンド部と、本体部の下半右側縁から右側に一体に延設する右巻回掛着バンド部とにより設けてなる膝部・肘部サポーター。
【請求項３】
本体部を、上下に上半部と下半部に分割裁断し、その対応する突合端とを逢着し、かつ、本体部の被着者の膝部または肘部に対応する部分を開口部に設けてなる請求項２または請求項３の膝部・肘部サポーター。
【請求項４】
左巻回掛着バンド部および右巻回掛着バンド部の先端部の裏面にそれぞれ左鍵型ファスナーと右鍵型ファスナーを具備してなる請求項２または請求項３の膝部・肘部サポーター。
【請求項５】
左巻回掛着バンド部および右巻回掛着バンド部の先端部における左鍵型ファスナーと右鍵型ファスナーのそれぞれ対応する反対の表面には、ファスナー取外し用の左手掛けバンドと右手掛けバンドを設けてなる請求項４の膝部・肘部サポーター。
【請求項６】
本体部の上半部における左右側部表面に屈曲支持具の上部を収容保持する上半ポケット部と、本体部の下半部における左右側部表面に屈曲支持具の下部を収容保持する下半ポケット部をそれぞれの差込口を対応して設けてなる請求項２、請求項３、請求項４または請求項５の膝部・肘部サポーター。
【請求項７】
屈曲支持具は、支軸を中心に上支杆と、下支杆とが屈曲自在に連結されてなる請求項６の膝部・肘部サポーター。
【請求項８】
それぞれの前端面に突起を具え、それら突起を突合し、膝と同じように一方行には限度を超えて支軸を中芯に上支杆と下支杆が屈曲しないよう設けてなる請求項７の膝部・肘部サポーター。
【請求項９】
本体部の構成生地と同一素材で筒状カバーを設け、この筒状カバーを前記屈曲支持具の支軸を中芯とする連結部に所要幅被嵌し、屈曲支持具の上下部を上半ポケット部と、下半ポケット部にそれぞれ差込み、収容配備してなる請求項８の膝部・肘部サポーター。
【考案の詳細な説明】
【技術分野】
【０００１】
この考案は、膝部または肘部の固定、支持、保温により痛みの軽減を目的とする左右兼用の膝部・肘部サポーターに関するものである。
【背景技術】
【０００２】
従来の膝部サポーターは、巻付け型、筒状部の一部開放巻付け型および全体筒状型の三つに大きく区分けすることができる。そして、巻付け型は、実登第２６０１４４４号に開示されるように、片面をパイル形成面とし、左右上下に膝当接面の両側に巻付け止着帯を延設し、その巻付け止着帯の一方の自由端の外面に前記パイル形成面に止着されるファスナー雄片を縫着している。筒状部の一部開放巻付け型は、特許第３４８３３１１号に開示されるように、膝関節および隣接部分を覆う筒状の本体筒状部の上半部分を打合せ接続部に開放し、サポーターの着脱の容易性を図るものある。全体筒状型は、実開昭５５−７８３２０号に開示されるように伸縮性生地を筒状に縫い合せてなるものである。
【特許文献１】実登第２６０１４４４号
【特許文献２】特許第３４８３３１１号
【特許文献３】実開昭５５−７８３２０号
【考案の開示】
【考案が解決しようとする課題】
【０００３】
この考案は、この種、膝部・肘部サポーターに要求される固定性、支持性および保温性に優れていると共に、巻き付けおよび外しが容易に行え、かつ左右兼用であることを目的になされたものである。
【課題を解決するための手段】
【０００４】
所要の引張力による伸張性と、元の状態への復元性に富む弾性芯材と、その表面を鍵型ファスナーと係合自在で、伸縮性に富むパイル布により表装される生地を用い、被着者の膝部または肘部を左右方向へ半周乃至一周若しくはそれ以上の所要長さ、かつ、膝部または肘部より上下方向に所要長さ部分の巻付け可能な本体部と、その本体部の上半一方側縁から一方側に一体に延設する一方巻回掛着バンド部と、本体部の下半他方側縁から他方側に一体に延設する他方巻回掛着バンド部より設けてなる膝部・肘部サポーターにある。
【０００５】
所要の引張力による伸張性と、元の状態への復元性に富む弾性芯材と、その表面を鍵型ファスナーと係合自在で、伸縮性に富むパイル布により表装される生地を用い、被着者の膝部または肘部を左右方向へ半周乃至一周若しくはそれ以上の所要長さ、かつ、膝部または肘部より上下方向に所要長さ部分の巻付け可能な本体部と、その本体部の上半左側縁から左側に一体に延設する左巻回掛着バンド部と、本体部の下半右側縁から右側に一体に延設する右巻回掛着バンド部とにより設けてなる膝部・肘部サポーターにある。
【０００６】
本体部を、上下に上半部と下半部に分割裁断し、その対応する突合端とを逢着し、かつ、本体部の被着者の膝部または肘部に対応する部分を開口部に設けてもよいものである。
【０００７】
左巻回掛着バンド部および右巻回掛着バンド部の先端部の裏面にそれぞれ左鍵型ファスナーと右鍵型ファスナーを具備してもよいものである。
【０００８】
左巻回掛着バンド部および右巻回掛着バンド部の先端部における左鍵型ファスナーと右鍵型ファスナーのそれぞれ対応する反対の表面には、ファスナー取外し用の左手掛けバンドと右手掛けバンドを設けてもよいものである。
【０００９】
本体部の上半部における左右側部表面に屈曲支持具の上部を収容保持する上半ポケット部と、本体部の下半部における左右側部表面に屈曲支持具の下部を収容保持する下半ポケット部をそれぞれの差込口を対応して設けてもよいものである。
【００１０】
屈曲支持具は、支軸を中心に上支杆と、下支杆とが屈曲自在に連結されてもよいものである。
【００１１】
それぞれの前端面に突起を具え、それら突起を突合し、膝部または肘部と同じように一方行には限度を超えて支軸を中心に上支杆と下支杆が屈曲しないよう設けてよいものである。
【００１２】
本体部の構成生地と同一素材で筒状カバーを設け、この筒状カバーを前記屈曲支持具の支軸を中心とする連結部に所要幅被嵌し、屈曲支持具の上下部を上半ポケット部と、下半ポケット部にそれぞれ差込み、収容配備してよいものである。
【考案の効果】
【００１３】
この考案の膝部・肘部サポーターは、上述のように構成されるから、展開した状態で本体部を膝部または肘部に当て背面側に巻付け、上半の左巻回掛着バンド部を正面から右側面側に越えて巻付け、先端部の鍵型ファスナーを本体部の表面のパイル布に掛着する。この時、屈曲支持具の上半ポケット部が本体部と同一部材で構成しているので、その表面のパイル布にも鍵型ファスナーが対応すると掛着し、被着者のサイズにともなう掛着位置の拡大と掛着面の有効利用を図っている。
【００１４】
下半の右巻回掛着バンド部についても、同様に、巻付けて本体部の外周面を半周した後、右側周面に巻き付け、先端部の鍵型ファスナーを、その表面のパイル布に掛着する。この下半の右巻回掛着バンド部においても、前記上半の左巻回掛着バンド部と、同様に、屈曲支時具の下半ポケット部が本体部と同一部材で構成しているので、その表面のパイル布に鍵型ファスナーが当るときには掛着し、同じく、被着者のサイズにともなう掛着位置の拡大と掛着面の有効利用を図っている。
【００１５】
また、本体部の上半と下半の左右巻回掛着バンド部を本体部の周面に巻回するので従来のバンド部に比較して重合締付面が飛躍的に拡大し、全面的な固定効果と保温効果と、剛性効果とが得られるものである。
【００１６】
また、左右巻回掛着バンド部の先端部には、左右手掛バンドを設けているから、左右鍵型ファスナーを本体部のパイル布から容易に外すことができるものである。
【００１７】
また、左右巻回掛着バンド部が本体部を巻回するとき、上半ポケット部と下半ポケット部を介して対面する屈曲支持具を締付けるので、外側に湾曲して逃げることがなく、上下の支持効果を発揮させることができる。
【００１８】
また、屈曲支持具の屈曲部は、本体部と同一部材の弾性芯材および表装材で設けた筒状カバーが被嵌されるから、屈曲部に挟み込まれることがなく安全である。
【００１９】
また、屈曲支持具は、上下端を本体部と同一部材の弾性芯材および表装材で、本体部に縫着して設けた上半ポケット部と下半ポケット部に差し込まれて支持されるから、ソフトに支持され、膝部または肘部に加わる重力を軽減する。
【００２０】
また、屈曲支持具は、中間を支軸により屈曲自在に連結しているから、膝部または肘部の屈曲に反発なく追従し、円滑な屈曲作用を確保するものである。
【００２１】
また、屈曲支持具は、支軸を中心に回り止めとなる突合突起を具えているから、直線を越えて前方側に屈曲することがなく、膝部または肘部に加わる限度以上の回動を停止する効果があるものである。
【００２２】
また、本体部の表面に対する左右巻回掛着バンド部の掛着位置が広いから、被着者のサイズが限定されず、フリーサイズとなり、また、左右の膝部または肘部に兼用となり、部品点数の少数化と、規格化とによる製造コストの低減に寄与し、使用勝手から、流通、在庫管理の簡易化に多大な効果を奏するものである。
【考案を実施するための最良の形態】
【００２３】
所要の引張力による伸張性と、元の状態への復元性に富む弾性芯材と、その表面を鍵型ファスナーと係合自在で、伸縮性に富むパイル布により表装される生地を用い、被着者の膝部を左右方向へ半周乃至一周若しくはそれ以上の所要長さ、かつ、膝部より上下方向に所要長さ部分の巻付け可能な本体部と、その本体部の上半左側縁から左側に一体に延設する左巻回掛着バンド部と、本体部の下半右側縁から右側に一体に延設する右巻回掛着バンド部とにより設け、左巻回掛着バンド部および右巻回掛着バンド部の先端部の裏面にそれぞれ左鍵型ファスナーと右鍵型ファスナーを具備し、左巻回掛着バンド部および右巻回掛着バンド部の先端部における左鍵型ファスナーと右鍵型ファスナーのそれぞれ対応する反対の表面には、ファスナー取外し用の左手掛けバンドと右手掛けバンドを設け、本体部の上半部における左右側部表面に屈曲支持具の上部を収容保持する上半ポケット部と、本体部の下半部における左右側部表面に屈曲支持具の下部を収容保持する下半ポケット部をそれぞれの差込口を対応して設け、屈曲支持具は、支軸を中心に上支杆と、下支杆とが屈曲自在に連結され、それぞれの前端面に突起を具え、それら突起を突合し、膝部と同じように一方行には限度を超えて支軸を中心に上支杆と下支杆が屈曲しないよう設け、本体部の構成生地と同一素材で筒状カバーを設け、この筒状カバーを前記屈曲支持具の支軸を中心とする連結部に所要幅被嵌し、屈曲支持具の上下部を上半ポケット部と、下半ポケット部にそれぞれ差込み収容配備してなる膝部サポーター。
【実施例】
【００２４】
以下、この考案の膝部・肘部サポーターを図面に示す実施例により説明すると、実施例の膝部サポーター１の本体部１ａを構成する生地２は、所要の引張力による伸張性と、元の状態への復元性に富む弾性芯材２ａの表面に鍵型ファスナーと係合自在で、伸縮性に富むパイル布２ｂにより表装され、反対の裏面には、追従自在の伸縮性と極め細かく滑り易い性質を持つ網布２ｃにより表装されている。
【００２５】
実施例の膝部サポーター１は、膝部を半周乃至一周巻き付けが可能な長さの本体部１ａと、その本体部１ａの上半左側縁から左側に一体に延設する左巻回掛着バンド部１ｂと、本体部１ａの下半右側縁から右側に一体に延設する右巻回掛着バンド部１ｃとにより設けるが、実施例では、膝部に本体部１ａを巻き付けたとき、立体化するように、本体部１ａを、上下に上半部Ａと下半部Ｂに分割裁断し、その対応する突合端Ａ１とＢ１を逢着３している。また、本体部１ａの膝部に対応する部分を開口部４に設けている。
【００２６】
左巻回掛着バンド部１ｂおよび右巻回掛着バンド部１ｃの先端部１ｂ１、１ｃ１の裏面にそれぞれ左鍵型ファスナー５ａと、右鍵型ファスナー５ｂを縫い付け、また、それぞれ対応する表面には、ファスナー取外し用の左手掛けバンド６ａと、右手掛けバンド６ｂを設けている。
【００２７】
本体部１ａの上半部Ａにおける左右側部表面に屈曲支持具９の上半ポケット部７ａ、７ｂをそれぞれ設けている。
【００２８】
本体部１ａの下半部Ｂにおける左右側部表面に屈曲支持具９の下半ポケット部８ａ、８ｂをそれぞれ設けている。そして、前記上半ポケット部７ａ、７ｂの差込口７ａ１、７ｂ１と下半ポケット部８ａ、８ｂの差込口８ａ１、８ｂ１をそれぞれ対向させている。
【００２９】
屈曲支持具９は、支軸１０を中心に上支杆９ａと、下支杆９ｂとが屈曲自在に連結され、それぞれの前端面に突起９ａ１と、突起９ｂ１を具え、その突起９ａ１と突起９ｂ１を突合し、膝と同じように限度を超えて支軸１０を中心に上支杆９ａと下支杆９ｂが屈曲しないよう設けられている。上支杆９ａと下支杆９ｂは、向かい合わせに連結するので、同一部材で構成できる。なお、前記支軸１０の一端に鍔１０ａを一体に有し、反対端に座金１０ｂを嵌合した後、端部を圧潰して上支杆９ａと下支杆９ｂの外止となし、上支杆９ａと下支杆９ｂの重合面間に滑座金１０ｃを介在している。
【００３０】
前記生地２と同一素材で筒状カバー１１、１１を設け、この筒状カバー１１を前記屈曲支持具９の支軸１０の連結部に所要幅被嵌した後、二個の屈曲支持具９、９の上下端を前記上半ポケット部７ａ、７ｂ、下半ポケット部８ａ、８ｂにそれぞれ差込み、収容配備している。
【００３１】
肘部サポーターについては、前記実施例で説明した膝部サポーター１と同一構造であるので説明を省略する。
【００３２】
この考案の膝部サポーターは、上述のように構成されるから、展開した状態で本体部を膝部に当て背面側に巻付け、上半の左巻回掛着バンド部を正面から右側面側に越えて巻付け、先端部の鍵型ファスナーを本体部の表面のパイル布に掛着する。この時、屈曲支持具の上半ポケット部が本体部と同一部材で構成しているので、その表面のパイル布にも鍵型ファスナーが対応すると掛着し、被着者のサイズに伴う掛着位置の拡大と掛着面の有効利用を図っている。
【００３３】
下半の右巻回掛着バンド部についても、同様に、巻付けて本体部の外周面を半周した後、右側周面に巻き付け、先端部の鍵型ファスナーを、その表面のパイル布に掛着する。この下半の右巻回掛着バンド部においても、前記上半の左巻回掛着バンド部と、同様に、屈曲支時具９の下半ポケット部８ａ、８ｂが本体部１ａと同一部材で構成しているので、その表面のパイル布２ｂに右鍵型ファスナー５ｂが当るときには掛着し、同じく、被着者のサイズにともなう掛着位置の拡大と掛着面の有効利用を図っている。
【産業上の利用可能性】
【００３４】
この考案の膝部・肘部サポーターは、フリーサイズであるから被着者はサイズを考慮しないで利用でき、部品点数の少数化と規格化とによる製造コストの低減に寄与し、使用勝手がよく、流通、在庫管理の簡易化に多大な効果を奏するものである。
【図面の簡単な説明】
【００３５】
【図１】この考案の実施例である膝部サポーターの展開表面図である。
【図２】同じく、膝部サポーターの展開裏面図である。
【図３】図１のＸ−Ｘ線に沿う断面図である。
【図４】図１のＹ−Ｙ線に沿う断面図である。
【図５】同じく、この考案の実施例である膝部サポーターの本体部の左右側周外面に収容配備される屈曲支持具およびその屈曲部に被嵌する筒状カバーの斜視図である。
【図６】同じく、屈曲支持具の上支杆と下支杆の連結構造例および連結用支軸具例を示す斜視図である。
【図７】この考案の実施例である膝部サポーターの左巻回掛着バンド部を本体部の上半外周面に、右巻回掛着バンド部を本体部の下半外周面にそれぞれ巻き付けた使用状態を示す正面図である。
【図８】同じく、それぞれ巻き付けた使用状態を示す左側面図である。
【図９】同じく、それぞれ巻き付けた使用状態を示す右側面図である。
【符号の説明】
【００３６】
１  膝部サポーター
１ａ  本体部
１ｂ  左巻回掛着バンド部
１ｂ１  先端部
１ｃ  右巻回掛着バンド部
１ｃ１  先端部
２  生地
２ａ  弾性芯材
２ｂ  パイル布
２ｃ  網布
Ａ  上半部
Ａ１  突合端
Ｂ  下半部
Ｂ１  突合端
３  逢着
４  開口部
５ａ  左鍵型ファスナー
５ｂ  右鍵型ファスナー
６ａ  左手掛けバンド
６ｂ  右手掛けバンド
７ａ  上半ポケット部
７ａ１  差込口
７ｂ  上半ポケット部
７ｂ１  差込口
８ａ  下半ポケット部
８ａ１  差込口
８ｂ  下半ポケット部
８ｂ１  差込口
９  屈曲支持具
９ａ  上支杆
９ａ１  突起
９ｂ  下支杆
９ｂ１  突起
１０  支軸
１１  筒状カバー
【図１】
0003104928.tif 000003
【図２】
0003104928.tif 000004
【図３】
0003104928.tif 000005
【図４】
0003104928.tif 000006
【図５】
0003104928.tif 000007
【図６】
0003104928.tif 000008
【図７】
0003104928.tif 000009
【図８】
0003104928.tif 000010
【図９】
0003104928.tif 000011